(57)【要約】【課題】工事現場で使いやすい同期点滅式工事表示灯を提供する。【解決手段】工事現場に設置される同期点滅式工事表示灯であって、発光部と、少なくとも上記発光部の発光のタイミングを制御する制御部と、上記発光部の発光に関する情報を送受信するトランシーバとを備え、上記トランシーバはブロードキャスト通信により他の同期点滅式工事表示灯との通信を行なうことが可能であり、上記トランシーバにより送受信される情報は、第１の情報と、上記発光部の発光のタイミングに関する第２の情報とを含み、上記制御部は、上記トランシーバの受信部から受信した上記他の同期点滅式工事表示灯の第１の情報と自ら有する第１の情報とを比較し、その比較結果に基づいて自ら有する第１の情報および第２の情報を書き換えることにより、上記同期点滅式工事表示灯の発光と上記他の同期点滅式工事表示灯の発光とを同期させることが可能である。【選択図】図８
2017210744.tif 000002
【特許請求の範囲】
【請求項１】
工事現場に設置される同期点滅式工事表示灯であって、
発光部と、
少なくとも前記発光部の発光のタイミングを制御する制御部と、
前記発光部の発光に関する情報を送受信するトランシーバとを備え、
前記トランシーバはブロードキャスト通信により他の同期点滅式工事表示灯との通信を行なうことが可能であり、
前記トランシーバにより送受信される情報は、第１の情報と、前記発光部の発光のタイミングに関する第２の情報とを含み、
前記制御部は、前記トランシーバの受信部から受信した前記他の同期点滅式工事表示灯の第１の情報と自ら有する第１の情報とを比較し、その比較結果に基づいて自ら有する第１の情報および第２の情報を書き換えることにより、前記同期点滅式工事表示灯の発光と前記他の同期点滅式工事表示灯の発光とを同期させることが可能である、同期点滅式工事表示灯。
【請求項２】
前記トランシーバにより送受信される情報は、前記発光部の発光パターンに関する第３の情報をさらに含み、
前記制御部は、前記トランシーバの受信部から受信した前記他の同期点滅式工事表示灯の第１の情報と自ら有する第１の情報とを比較し、その比較結果に基づいて自ら有する第１の情報、第２の情報および第３の情報を書き換えることにより、前記同期点滅式工事表示灯の発光パターンと前記他の同期点滅式工事表示灯の発光パターンとを一致させるとともに、前記同期点滅式工事表示灯の発光のタイミングと前記他の同期点滅式工事表示灯の発光のタイミングとを一致させることが可能である、請求項１に記載の同期点滅式工事表示灯。
【請求項３】
前記制御部を同期点滅式工事表示灯の外部から操作するためのスイッチをさらに備え、
前記第１の情報は前記スイッチを操作した回数に応じた値を含み、
前記スイッチを操作することにより、前記同期点滅式工事表示灯の発光パターンを切り換えること、および、前記制御部の動作モードとスリープモードとを切り換えることが可能である、請求項２に記載の同期点滅式工事表示灯。
【発明の詳細な説明】
【技術分野】
【０００１】
本発明は、同期点滅式工事表示灯に関する。
【背景技術】
【０００２】
工事現場に設置される複数の点滅式工事表示灯の発光のタイミングを自動的に同期させたり関連づけたりすることが従来から行なわれている。
【先行技術文献】
【特許文献】
【０００３】
【特許文献１】特開２０１４−２００３３号公報
【発明の概要】
【発明が解決しようとする課題】
【０００４】
工事表示灯は、長期間に亘って工事現場に設置される場合もあるため、消費電力を低減してバッテリの消耗を抑制することが求められる。
【０００５】
近年、ＬＥＤの発光部が供給されるようになり、発光部の消費電力は低減されつつある。一方で、複数の工事表示灯を同期点滅させるためには発光のタイミングを制御する制御部を各々の工事表示灯に設ける必要がある。発光部の消費電力が低減された結果、制御部の消費電力がバッテリの寿命の決定要素になる場合も生じている。よって、制御部の消費電力を低下させることが望まれる。
【０００６】
制御部の構成を簡素化できる一態様として、たとえば電波時計を用いた制御が考えられる。しかし、電波時計を用いた場合、トンネル内など電波を受信できない場所では点滅動作を同期させることができない。
【０００７】
本発明は、上記のような問題に鑑みてなされたものであり、本発明の目的は、工事現場で使いやすい同期点滅式工事表示灯を提供することにある。
【課題を解決するための手段】
【０００８】
本発明に係る同期点滅式工事表示灯は、工事現場に設置される同期点滅式工事表示灯であって、発光部と、少なくとも上記発光部の発光のタイミングを制御する制御部と、上記発光部の発光に関する情報を送受信するトランシーバとを備え、上記トランシーバはブロードキャスト通信により他の同期点滅式工事表示灯との通信を行なうことが可能であり、上記トランシーバにより送受信される情報は、第１の情報と、上記発光部の発光のタイミングに関する第２の情報とを含み、上記制御部は、上記トランシーバの受信部から受信した上記他の同期点滅式工事表示灯の第１の情報と自ら有する第１の情報とを比較し、その比較結果に基づいて自ら有する第１の情報および第２の情報を書き換えることにより、上記同期点滅式工事表示灯の発光と上記他の同期点滅式工事表示灯の発光とを同期させることが可能である。
【０００９】
１つの実施態様では、上記同期点滅式工事表示灯において、上記トランシーバにより送受信される情報は、上記発光部の発光パターンに関する第３の情報をさらに含み、上記制御部は、上記トランシーバの受信部から受信した上記他の同期点滅式工事表示灯の第１の情報と自ら有する第１の情報とを比較し、その比較結果に基づいて自ら有する第１の情報、第２の情報および第３の情報を書き換えることにより、上記同期点滅式工事表示灯の発光パターンと上記他の同期点滅式工事表示灯の発光パターンとを一致させるとともに、上記同期点滅式工事表示灯の発光のタイミングと上記他の同期点滅式工事表示灯の発光のタイミングとを一致させることが可能である。
【００１０】
１つの実施態様では、上記同期点滅式工事表示灯は、上記制御部を同期点滅式工事表示灯の外部から操作するためのスイッチをさらに備え、上記第１の情報は上記スイッチを操作した回数に応じた値を含み、上記スイッチを操作することにより、上記同期点滅式工事表示灯の発光パターンを切り換えること、および、上記制御部の動作モードとスリープモードとを切り換えることが可能である。
【発明の効果】
【００１１】
本発明によれば、制御部の構成を簡素化することが可能となり、工事現場で使いやすい同期点滅式工事表示灯を提供することができる。
【図面の簡単な説明】
【００１２】
【図１】本発明の１つの実施の形態に係る同期点滅式工事表示灯の正面図である。
【図２】本発明の１つの実施の形態に係る同期点滅式工事表示灯の背面図である。
【図３】本発明の１つの実施の形態に係る同期点滅式工事表示灯の側面図である。
【図４】本発明の１つの実施の形態に係る同期点滅式工事表示灯をロードコーンの上部に取り付けた状態を示す正面図である。
【図５】本発明の１つの実施の形態に係る同期点滅式工事表示灯をロードコーンの上部に取り付けた状態を示す側面図である。
【図６】本発明の１つの実施の形態に係る同期点滅式工事表示灯におけるシステムを示すブロック図である。
【図７】図６に示すブロック図を簡素化して示したものである。
【図８】本発明の１つの実施の形態に係る同期点滅式工事表示灯の動作を説明するためのフロー図である。
【図９】図８に示す「ペアリングモード」の発光パターンを示す図である。
【図１０】図８に示す「交互点滅モード１」および「同期ＯＫモード１」の発光パターンを示す図である。
【図１１】図８に示す「フラッシュ点滅モード２」および「同期ＯＫモード２」の発光パターンを示す図である。
【図１２】図８に示す「同期ＮＧモード１」の発光パターンを示す図である。
【図１３】図８に示す「同期ＮＧモード２」の発光パターンを示す図である。
【発明を実施するための形態】
【００１３】
以下に、本発明の実施の形態について説明する。なお、同一または相当する部分に同一の参照符号を付し、その説明を繰返さない場合がある。
【００１４】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００１５】
図１ないし図３は、本実施の形態に係る同期点滅式工事表示灯を示す図であり、図１は正面図、図２は背面図、図３は側面図である。
【００１６】
図１から図３に示すように、工事表示灯１００は、台座１Ａおよびカバー本体１Ｂを含む本体１と、赤色ＬＥＤ２Ａおよび白色ＬＥＤ２Ｂと、筒状のバッテリ収納部３と、本体１の背面に設けられたボタン４、インジケータ５、およびライトセンサ６とを含む。
【００１７】
ボタン４は、赤色ＬＥＤ２Ａおよび白色ＬＥＤ２Ｂの発光パターン等を制御する制御部を操作するためのものである。インジケータ５は、赤色ＬＥＤ２Ａおよび白色ＬＥＤ２Ｂの発光パターン等を本体１の背面側からも確認可能とするものである。ライトセンサ６は、周囲の明るさが所定の値以上である場合に赤色ＬＥＤ２Ａおよび白色ＬＥＤ２Ｂの発光を自動的に停止するために明るさを測定するものである。
【００１８】
図４、図５は、本実施の形態に係る同期点滅式工事表示灯をロードコーンの上部に取り付けた状態を示す図であり、図４は正面図、図５は側面図である。
【００１９】
図４、図５に示すとおり、工事表示灯１００は、バッテリ収納部３をロードコーン２００の上端部に設けられた開口に挿入することによりロードコーン２００に取り付けられる。
【００２０】
図６は、本実施の形態に係る同期点滅式工事表示灯におけるシステムを示すブロック図であり、図７は、図６に示すブロック図を簡素化して示したものである。
【００２１】
図６、図７に示すとおり、バッテリ７は、昇圧器８を介して発光部２に接続されている。バッテリ７は制御部９にも接続されている。制御部９はトランシーバ９ＡとＭＣＵ９Ｂとを含む。発光部２、ライトセンサ６、および制御部９（トランシーバ９Ａ、ＭＣＵ９Ｂ）はＰＣＢモジュール１０としてモジュール化され、本体１内に収納される。
【００２２】
制御部９がトランシーバ９Ａを含むことにより、工事表示灯１００は他の工事表示灯との間で通信を行なうことができる。本実施の形態に係る工事表示灯において、他の工事表示灯との通信はブロードキャスト通信により行なわれる。ブロードキャスト通信においては、特定の送信元や受信先の情報を含むユニキャスト通信やマルチキャスト通信と比べて情報量が少ない。よって、制御部９における制御を簡素化することができ、その構成も簡素化できる。結果として、制御部９の消費電力を低減し、バッテリ７の寿命をのばすことができる。
【００２３】
ブロードキャスト通信は、以下の情報を含む。
１  プリアンブル値
２  パケットＩＤ値（第１の情報）
３  タイムベースバリュー値（第２の情報）
４  パターンモード値（第３の情報）
５  ＣＲＣ値
ここで、「プリアンブル値」は定数である。「パケットＩＤ値」（第１の情報）はボタン４を押した回数に応じて定まる。「タイムベースバリュー値」（第２の情報）は発光部２の発光のタイミングに関する情報である。「パターンモード値」（第３の情報）は発光部２の発光パターンに関する情報である。「ＣＲＣ値」は誤り検出符合で、偶発的な誤りの検出ための情報である。
【００２４】
制御部９は、トランシーバ９Ａの受信部から受信した他の工事表示灯のパケットＩＤ値と自ら有するパケットＩＤ値とを比較する。その比較の結果、受信したパケットＩＤ値が自ら有するパケットＩＤ値よりも大きい場合に、自ら有するパケットＩＤ値、タイムベースバリュー値およびパターンモード値を他の工事表示灯の値と合わせるように書き換える。これにより、発光パターンおよび発光のタイミングが他の工事表示灯と一致する。
【００２５】
図８は、本実施の形態に係る同期点滅式工事表示灯の動作を説明するためのフロー図である。図９は、図８に示す「ペアリングモード」の発光パターンを示す図であり、図１０は、図８に示す「交互点滅モード１」および「同期ＯＫモード１」の発光パターンを示す図であり、図１１は、図８に示す「フラッシュ点滅モード２」および「同期ＯＫモード２」の発光パターンを示す図であり、図１２は、図８に示す「同期ＮＧモード１」の発光パターンを示す図であり、図１３は、図８に示す「同期ＮＧモード２」の発光パターンを示す図である。
【００２６】
図８に示す「スリープモード」、「ペアリングモード」、「交互点滅モード１」、および「フラッシュ点滅モード２」がパターンモード値に対応し、図９から図１３の横軸がタイムベースバリュー値に対応する。
【００２７】
図８に示す「電源ＯＦＦ」は、バッテリ７を取り外した状態である。バッテリ７を取り付けると、「電源ＯＦＦ」から「スリープモード」になる。スリープモードにおいては、発光部２は赤色ＬＥＤ２Ａおよび白色ＬＥＤ２Ｂともに発光しない。ここからボタン４を操作（押圧）することにより、「ペアリングモード」（押圧１回）、「交互点滅モード１」（押圧２回）、「フラッシュ点滅モード２」（押圧３回）、「スリープモード」（押圧４回）の順に切り換わる。「スリープモード」から「ペアリングモード」に切り換えたときは、周囲の工事表示灯の情報を受信し、受信したパケットＩＤ値に合わせて自らのパケットＩＤ値を書き換える。
【００２８】
本実施に係る同期点滅式工事表示灯について要約すると以下のとおりである。すなわち、工事表示灯１００は、工事現場に設置されるものであって、発光部２と、発光部２の発光パターンおよび発光のタイミングを制御するＭＣＵ９Ｂと、発光部２の発光に関する情報を送受信するトランシーバ９Ａとを備える。トランシーバ９Ａはブロードキャスト通信により他の同期点滅式工事表示灯との通信を行なうことが可能である。トランシーバ９Ａにより送受信される情報は、ボタン４を押した回数に応じて定まるパケットＩＤ値（第１の情報）と、発光部２の発光のタイミングに関するタイムベースバリュー値（第２の情報）と、発光部の発光パターンに関するパターンモード値（第３の情報）とを含む。ＭＣＵ９Ｂは、トランシーバ９Ａの受信部から受信した他の同期点滅式工事表示灯のパケットＩＤ値と自ら有するパケットＩＤ値とを比較し、その比較結果に基づいて自ら有するパケットＩＤ値、タイムベースバリュー値およびパターンモード値を書き換えることにより、発光パターンおよび発光のタイミングを他の同期点滅式工事表示灯と一致させる（すなわち、「同期点滅させる」）ことが可能である。
【００２９】
工事表示灯１００は、ＭＣＵ９Ｂを本体１の外部から操作するためのボタン４（スイッチ）を備える。ボタン４を操作することにより、工事表示灯１００の発光パターンを切り換えること、および、ＭＣＵ９Ｂの動作モードとスリープモードとを切り換えることが可能である。
【００３０】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００３１】
１  本体、１Ａ  台座、１Ｂ  カバー、２  発光部、２Ａ  赤色ＬＥＤ、２Ｂ  白色ＬＥＤ、３  バッテリ収納部、４  ボタン、５  インジケータ、６  ライトセンサ、７  バッテリ、８  昇圧器、９  制御部、９Ａ  トランシーバ、９Ｂ  ＭＣＵ、１０  ＰＣＢモジュール、１００  工事表示灯、２００  ロードコーン。
【図１】
2017210744.tif 000003
【図２】
2017210744.tif 000004
【図３】
2017210744.tif 000005
【図４】
2017210744.tif 000006
【図５】
2017210744.tif 000007
【図６】
2017210744.tif 000008
【図７】
2017210744.tif 000009
【図８】
2017210744.tif 000010
【図９】
2017210744.tif 000011
【図１０】
2017210744.tif 000012
【図１１】
2017210744.tif 000013
【図１２】
2017210744.tif 000014
【図１３】
2017210744.tif 000015